(57)【要約】【課題】複数の出力チャンネルを区別した検査を容易に行えるようにする。【解決手段】信号処理回路１４には、互いに異なる第１、第２検査信号を発生する２つのオシレータＯＳＣ１、ＯＳＣ２が設けられる。ミックスバスＭＢ中のバス３、４の出力チャンネルをアナログ出力２７、２８に割り当てた場合において、オシレータ・オンオフ４１をオンにし、ウェーブフォーム選択４３を「オシレータＯＳＣ１／２」に設定し、バス出力設定４４をバス３、４の選択状態とすると、オシレータＯＳＣ１からは第１検査信号がバス３のみに入力され、オシレータＯＳＣ２からは第２検査信号がバス４のみに入力される。そして、バス３、４からそれぞれ第１、第２検査信号がアナログ出力２７、２８に出力され、ユーザは、それらの出力音声を聴くことで、意図の通りの出力チャンネルにて発音されているかを確認する。【選択図】　　　図２
2004128969.tif 000002
【特許請求の範囲】
【請求項１】
複数のバスから成るミックスバスに入力される複数の信号をバス毎に所望の出力チャンネルに割り当てて出力させる信号切換装置であって、
互いに異なる検査信号を発生させる複数の検査信号発生手段と、
前記複数の検査信号発生手段により発生された複数の検査信号を前記ミックスバス中の任意のバスにそれぞれ選択的に入力させる検査信号入力手段とを有することを特徴とする信号切換装置。
【発明の詳細な説明】
【０００１】
【発明の属する技術の分野】
本発明は、複数の信号をミックスバスに入力し、バス毎に所望の出力チャンネルに割り当てて出力するミキサ装置等の信号切換装置に関する。
【０００２】
【従来の技術】
従来、下記非特許文献１に記載されているような、放送局等で用いられるミキサ装置等の信号切換装置が知られている。この装置では、複数の入力信号を、多数のバスで成るミックスバスに入力してミキシングし、所定の処理を経て、各バスに割り当てた出力チャンネルから出力することができる。また、この装置には一般に、信号が入力されるバスとそのバスの出力チャンネルの割り当ての実際の状況が、ユーザの意図に合致しているか否かを事前に確認・検査するために、所定の検査信号を発するオシレータが設けられている。ユーザは、オシレータの検査信号をミックスバスに入力させ、各出力チャンネルから出力される音声を聴くことで、各バス毎の出力チャンネル設定の検査を行うことができる。
【０００３】
【非特許文献１】
ヤマハデジタルプロダクションコンソールＤＭ２０００の取扱説明書
【０００４】
【発明が解決しようとする課題】
しかしながら、上記のような信号切換装置では、複数（例えばＬ／Ｒ）出力チャンネルに対応してそれぞれ出力割り当てされている複数（例えば２本）のバスに、オシレータからの単一の信号を共通に入力させて検査する場合は、それら複数のバスからは同じ信号が出力されるため、各出力チャンネル毎の出力を意識的に区別しながら確認する必要があり、検査が容易でないという問題があった。
【０００５】
本発明は上記従来技術の問題を解決するためになされたものであり、その目的は、複数の出力チャンネルを区別した検査を容易に行うことができる信号切換装置を提供することにある。
【０００６】
【課題を解決するための手段】
上記目的を達成するために本発明の請求項１の信号切換装置は、複数のバスから成るミックスバスに入力される複数の信号をバス毎に所望の出力チャンネルに割り当てて出力させる信号切換装置であって、互いに異なる検査信号を発生させる複数の検査信号発生手段と、前記複数の検査信号発生手段により発生された複数の検査信号を前記ミックスバス中の任意のバスにそれぞれ選択的に入力させる検査信号入力手段とを有することを特徴とする。
【０００７】
この構成によれば、発生した互いに異なる複数の検査信号が、ミックスバス中の任意のバスにそれぞれ選択的に入力され、バス毎に割り当てられた出力チャンネルから出力される。よって、複数の出力チャンネルを区別した検査を容易に行うことができる。
【０００８】
【発明の実施の形態】
以下、本発明の実施の形態を図面を参照して説明する。
【０００９】
図１は、本発明の一実施の形態に係る信号切換装置の全体構成を示すブロック図である。本装置は、例えば、ミキサ装置として構成される。
【００１０】
本装置は、ＲＡＭ１１、ＲＯＭ１２、信号処理回路１４、検出回路１５、表示回路１６及び記憶装置２０が通信バス１３を介してＣＰＵ１０にそれぞれ接続されて構成される。さらに、検出回路１５には操作部１８が接続され、表示回路１６には例えばＬＣＤで構成される表示部１９が接続されている。信号処理回路１４には、各種信号を入力、出力するための入出力インターフェイス（Ｉ／Ｆ）１７が接続されている。
【００１１】
操作部１８は、各種情報を入力するための複数のスイッチ（不図示）を備え、検出回路１５は、操作部１８の各スイッチの押下状態を検出する。表示回路１６は、表示部１９に設定画面等の各種情報を表示させる。ＣＰＵ１０は、本装置全体の制御を司る。ＲＯＭ１２は、ＣＰＵ１０が実行する制御プログラムや各種テーブルデータ等を記憶する。ＲＡＭ１１は、各種入力情報、各種フラグやバッファデータ及び演算結果等を一時的に記憶する。記憶装置２０は、フロッピ（登録商標）ディスク等の記憶媒体をドライブし、この記憶媒体には上記制御プログラムを含む各種アプリケーションプログラムや各種データ等が記憶可能である。
【００１２】
図２は、信号処理回路１４及び入出力インターフェイス１７の詳細構成を示す図である。信号処理回路１４には、バス１〜４及びステレオバスＬ、Ｒが設けられ、これらバス群（本実施の形態では６本のバス）で、入力信号をミキシングするミックスバスＭＢが構成される。このミックスバスＭＢに信号を入力するための構成要素として、アナログ入力２１、デジタル入力２２、入力割当器２３、入力演算器２４（１）〜２４（１０）が設けられ、ミックスバスＭＢに入力された信号を出力するための構成要素として、出力演算器２５、出力割当器２６、アナログ出力２７、２８が設けられる。アナログ入力２１、デジタル入力２２、アナログ出力２７、２８には、図１に示す入出力インターフェイス１７が該当する。
【００１３】
アナログ入力２１及びデジタル入力２２からは、それぞれ５チャンネルの信号が入力割当器２３に入力される。入力演算器２４は、同様の構成のものが入力信号の最大数分（ここでは１０個）設けられる。入力割当器２３に入力された入力信号は、入力チャンネル毎に、対応する入力演算器２４に入力される。すなわち、１つの入力演算器２４には１つの入力信号が入力される。
【００１４】
図３は、入力演算器２４の内部構成を示す図である。入力演算器２４には、イコライザ（ＥＱ）３１、遅延器（ＤＬ）３２、センドレベル調整器３３及びスイッチ３４が設けられている。イコライザ３１は、入力信号の周波数特性を調整する。遅延器３２は、入力信号に所定時間の遅延処理を施し、ミックスバスＭＢへの出力を遅延させる。センドレベル調整器３３は、ミックスバスＭＢに送る信号の音量（減衰量）を調整する。スイッチ３４は、ミックスバスＭＢの各バスに対応して（本実施の形態では６個）設けられ、ミックスバスＭＢへの出力をバス毎にオンオフする。
【００１５】
図２に戻り、各入力演算器２４に入力された信号は、各々のイコライザ３１、遅延器３２、センドレベル調整器３３による処理を経て、ミックスバスＭＢのうち、オン状態となっているスイッチ３４に対応するバスに入力される。
【００１６】
ミックスバスＭＢに入力された信号は、ミックスバスＭＢ中のバス数に対応して６チャンネルで出力演算器２５に入力される。図示はしないが、出力演算器２５には、上記イコライザ３１、遅延器３２及びセンドレベル調整器３３と同様の機能を有する構成要素が、各チャンネル（各バス）に対応して設けられ、各チャンネルの信号が、それらによる処理を経て、出力割当器２６に個別に出力される。
【００１７】
出力割当器２６は、出力演算器２５から入力される信号の出力チャンネルを割り当て、アナログ出力２７またはアナログ出力２８に選択的に出力する。本実施の形態では、例えば、アナログ出力２７がＬ（左）チャンネル、アナログ出力２８がＲ（右）チャンネルとなっている。
【００１８】
なお、入力演算器２４中の各構成要素の状態、及び出力割当器２６内の出力チャンネルの割り当ては、操作部１８によって設定される。
【００１９】
信号処理回路１４にはさらに、図２に示すように、２つのオシレータＯＳＣ１、ＯＳＣ２、検査信号切換器２９及び調整器３０が設けられる。オシレータＯＳＣ１、ＯＳＣ２は、互いに異なる検査信号を発生するものであり、オシレータＯＳＣ１からの第１検査信号は６チャンネルのうち３チャンネル分が調整器３０に直接入力され、残り３チャンネル分が検査信号切換器２９に入力される。オシレータＯＳＣ２からの第２検査信号は、３チャンネル分すべてが検査信号切換器２９に入力される。
【００２０】
検査信号切換器２９は、切換スイッチであり、オシレータＯＳＣ１からの３チャンネル分の第１検査信号とオシレータＯＳＣ２からの３チャンネル分の第２検査信号のいずれかを選択的に調整器３０に出力する。
【００２１】
調整器３０は、オシレータＯＳＣ１から入力される第１検査信号、並びに、検査信号切換器２９を介して入力される第１または第２検査信号を、ミックスバスＭＢに入力させる。本実施の形態では、オシレータＯＳＣ１から調整器３０に直接入力された３チャンネル分の第１検査信号は、バス１、３、ステレオバスＬに入力され、Ｌ（左）チャンネルの信号の出力経路を検査するために利用される。また、検査信号切換器２９を介して入力される３チャンネル分の検査信号は、バス２、４、ステレオバスＲに入力され、Ｒ（右）チャンネルの信号の出力経路を検査するために利用される。なお、第１、第２検査信号をどのバスに入力させるかは、例示したものに限定されない。
【００２２】
ただし、調整器３０には、入力演算器２４内のセンドレベル調整器３３及びスイッチ３４と同様の構成要素が設けられており（図示せず）、これらの設定状態に従って、所望の音量にて所望のバスにのみ検査信号が入力されるようになっている。なお、調整器３０内の設定及び検査信号切換器２９の設定については、図４を用いて後述する。
【００２３】
ミックスバスＭＢに入力された検査信号の出力については、アナログ入力２１、デジタル入力２２からの入力信号の場合と同様であり、出力演算器２５、出力割当器２６の設定に従って、アナログ出力２７、２８から出力される。
【００２４】
図４は、オシレータ設定画面の一例を示す図である。本画面は、オシレータ設定モードにおいて表示部１９に表示される。同図において、オシレータ・オンオフ４１は、両オシレータＯＳＣ１、ＯＳＣ２の起動及び停止を規定する。例えば、オシレータ・オンオフ４１がオンに設定されている場合は、両オシレータＯＳＣ１、ＯＳＣ２が起動されてそれぞれ第１、第２検査信号を発生させる一方、オフに設定されている場合は、両オシレータＯＳＣ１、ＯＳＣ２が共に停止される。
【００２５】
ウェーブフォーム選択４３は、「オシレータＯＳＣ１」または「オシレータＯＳＣ１／２」の選択により、検査信号切換器２９の設定を規定する。すなわち、「オシレータＯＳＣ１」が選択されている場合は、検査信号切換器２９は、オシレータＯＳＣ１から入力される３チャンネル分の第１検査信号を調整器３０に出力する一方、「オシレータＯＳＣ１／２」が選択されている場合は、検査信号切換器２９は、オシレータＯＳＣ２から入力される３チャンネル分の第２検査信号を調整器３０に出力する。
【００２６】
なお、両オシレータＯＳＣ１、ＯＳＣ２が発生する検査信号の種類は、例えば、「サイン波１ｋＨｚ」というように、波形及び周波数等を任意あるいは複数の中から選択できるものとし、不図示の設定画面においてオシレータＯＳＣ１、ＯＳＣ２毎に設定される。
【００２７】
オシレータ・センドレベル４２は、調整器３０内の不図示のセンドレベル調整器の設定を規定する。すなわち、調整器３０に入力され、ミックスバスＭＢに出力される第１、第２検査信号の音量（減衰量）を調整する。従って、第１、第２検査信号の音量は、ミックスバスＭＢ中の対応するバス毎に調整可能である。なお、センドレベルは、調整器３０に入力される信号について一括して調整してもよい。あるいは、オシレータＯＳＣ１、ＯＳＣ２の直後にセンドレベル調整器をそれぞれ設け、オシレータ毎にセンドレベル調整を行うようにしてもよい。
【００２８】
バス出力設定４４は、調整器３０内の不図示のスイッチの設定を規定する。すなわち、出力先のバスを選択することで、調整器３０に入力された第１、第２検査信号の各々について、ミックスバスＭＢ中の対応する各バスに実際に出力するか否かを個別にオンオフ設定することができる。例えば、バス３、４のみが選択されているとき、調整器３０からは、バス３には第１検査信号が入力され、バス４には第１または第２検査信号が入力される。
【００２９】
かかる構成において、各バス毎の出力チャンネルの割り当ての実際の状況が、ユーザの意図に合致しているか否かを事前に確認する検査処理は、次のようにしてなされる。本実施の形態では特に、２つのオシレータＯＳＣ１、ＯＳＣ２を用いてバス３、４の出力を確認する場合の検査処理を説明する。
【００３０】
入力演算器２４中の各構成要素や出力割当器２６内の出力チャンネルの割り当てをした後、ユーザは、図４のオシレータ設定画面を表示させ、オシレータ・オンオフ４１をオンにし、ウェーブフォーム選択４３を「オシレータＯＳＣ１／２」に設定し、バス出力設定４４をバス３、４の選択状態とし、オシレータ・センドレベル４２にて音量を適当に調整する。なお、出力割当器２６において、ミックスバスＭＢ中のバス３、４の出力チャンネルがそれぞれアナログ出力２７、２８に割り当てられているものとする。
【００３１】
かかる設定においては、オシレータＯＳＣ１から調整器３０に直接入力される３チャンネル分の第１検査信号のうち、バス３に対応するものだけがバス３に入力される。オシレータＯＳＣ１から検査信号切換器２９に入力される残り３チャンネル分の第１検査信号は、検査信号切換器２９で遮断され、調整器３０及びミックスバスＭＢには入力されない。また、オシレータＯＳＣ２から検査信号切換器２９に入力される３チャンネル分の第２検査信号は調整器３０に入力され、そのうちバス４に対応するものだけがバス４に入力される。
【００３２】
そして、バス３から第１検査信号が出力演算器２５、出力割当器２６を介してアナログ出力２７に出力され、バス４から第２検査信号が出力演算器２５、出力割当器２６を介してアナログ出力２８に出力される。ユーザは、アナログ出力２７、２８からの出力音声を聴くことで、意図の通りの出力チャンネルにて発音されているか否かを確認することができる。特に、第１、第２検査信号が異なる信号であり、出力される音声が異なるため、Ｌ／Ｒチャンネルの出力を同時に且つ的確に確認することが容易である。
【００３３】
本実施の形態によれば、互いに異なる第１、第２検査信号を発生させる２つのオシレータＯＳＣ１、ＯＳＣ２を設け、ミックスバスＭＢ中の任意のバスに第１、第２検査信号を選択的に入力させ、出力割当器２６における出力チャンネルの割り当てに従って、第１、第２検査信号が音声出力されるようにしたので、Ｌ／Ｒチャンネル毎の出力を意識的に区別しながら確認する必要がなく、検査が容易で誤りも少ない。よって、複数の出力チャンネルを区別した検査を容易に行うことができる。
【００３４】
なお、単一の検査信号による検査処理については、ウェーブフォーム選択４３を「オシレータＯＳＣ１」に設定することで、従来と同様に行うことができる。
【００３５】
なお、ミックスバスＭＢ中のバスの本数は、例示した６本に限るものではない。
【００３６】
なお、本実施の形態では、Ｌ／Ｒチャンネルを区別して検査を行う場合を例示したが、オシレータの数を増やすことで、同時に検査を行うチャンネル数を３個以上にすることができる。例えば、ＬチャンネルとＲチャンネルの他にセンターチャンネルがある場合において、バス１、４がＬチャンネル、バス２、ステレオバスＬがセンターチャンネル、バス３、ステレオバスＲがＲチャンネルに出力設定されているとする。そして、互いに異なる第１、第２、第３検査信号を発生するオシレータＯＳＣ１、ＯＳＣ２、ＯＳＣ３を設け、検査信号切換器２９及び調整器３０の設定により、第１検査信号がバス１、４に、第２検査信号がバス２、ステレオバスＬに、第３検査信号がバス３、ステレオバスＲに、それぞれ入力されるようにする。これにより、Ｌ、センター、Ｒの３チャンネルを同時に検査することができる。
【００３７】
なお、本発明を達成するためのソフトウェアによって表される制御プログラムを記憶した記憶媒体を、本装置に読み出すことによって同様の効果を奏するようにしてもよく、その場合、記憶媒体から読み出されたプログラムコード自体が本発明の新規な機能を実現することになり、そのプログラムコードを記憶した記憶媒体は本発明を構成することになる。また、プログラムコードを電送媒体等を介して供給してもよく、その場合は、プログラムコード自体が本発明を構成することになる。なお、これらの場合の記憶媒体としては、ＲＯＭ、ハードディスクのほか、光ディスク、フロッピー（登録商標）ディスク等の可搬媒体等を用いることができる。
【００３８】
【発明の効果】
以上説明したように、本発明によれば、複数の出力チャンネルを区別した検査を容易に行うことができる。
【図面の簡単な説明】
【図１】本発明の一実施の形態に係る信号切換装置の全体構成を示すブロック図である。
【図２】信号処理回路及び入出力インターフェイスの詳細構成を示す図である。
【図３】入力演算器の内部構成を示す図である。
【図４】オシレータ設定画面の一例を示す図である。
【符号の説明】
１４　信号処理回路、　１０　ＣＰＵ、　１８　操作部、　１９　表示部、　ＭＢ　ミックスバス、　ＯＳＣ１、ＯＳＣ２　オシレータ（検査信号発生手段）、　２９　検査信号切換器（検査信号入力手段の一部）、　２６　出力割当器、２７、２８　アナログ出力、　３０　調整器（検査信号入力手段の一部）
【図１】
2004128969.tif 000003
【図２】
2004128969.tif 000004
【図３】
2004128969.tif 000005
【図４】
2004128969.tif 000006